(57)【要約】【課題】内側空間にいる人の視野が確保でき、歩行が容易であるセキュリティシェードを提供する。【解決手段】セキュリティシェード１００は、遮蔽部１４０内の収容空間に人を収容し人の周囲及び上部の少なくとも一部を隠した状態で移動するためのものであって、遮蔽部１４０は、外部からの視界を妨げる低透過部１１０によって形成される内側空間であり、低透過部１１０は、少なくとも一部に、遮蔽部１４０内から外部を視認可能な可視部１２０を有し、遮蔽部１４０を支持可能な持ち手部を有し、持ち手部１３０にて遮蔽部１４０を支持しながら人を収容した状態で移動可能であることを特徴とする。かかる構成により、収容空間１４２に収容された人は、遮蔽部１４０の外部から保護されつつ視野が確保でき、歩行が容易となる。【選択図】図１
2019154659.tif 000002
【特許請求の範囲】
【請求項１】
遮蔽部内の収容空間に人を収容し人の周囲及び上部の少なくとも一部を隠した状態で移動するためのセキュリティシェードであって、
前記収容空間は、外部からの視界を妨げる前記遮蔽部によって形成される内側空間であり、前記遮蔽部は、少なくとも一部に、前記遮蔽部内から外部を視認可能な可視部を有し、
前記遮蔽部を支持可能な持ち手部を有し、
前記持ち手部にて前記遮蔽部を支持しながら人を収容した状態で移動可能であることを特徴とする、セキュリティシェード。
【請求項２】
前記遮蔽部は、少なくとも前部、上部及び側部の周囲を覆うものであり、前記可視部は、前記遮蔽部の少なくとも前部に形成されており、前記収容空間から前記遮蔽部の外部を視認可能であり、前記遮蔽部の外部から前記収容空間を視認不可であることを特徴とする、請求項１に記載のセキュリティシェード。
【請求項３】
前記可視部は、内側面を外側面よりも濃色としたことを特徴とする、請求項１又は２に記載のセキュリティシェード。
【請求項４】
前記可視部は、外側に淡色のメッシュ生地を配置し、内側に濃色のメッシュ生地を重なるように配置したことを特徴とする、請求項３に記載のセキュリティシェード。
【請求項５】
前記遮蔽部は、上部及び側部の周囲を構成する第１線材と、前部及び後部の少なくとも一方の下部を構成する第２線材と、を備え、前記第１線材の一部に前記第２線材を接続あるいは近接させることで形成されるようにしたことを特徴とする、請求項１〜４のいずれかに記載のセキュリティシェード。
【請求項６】
前記第１線材はループ状とし、前記第１線材のループの一端をループの中心に向かって折り曲げることで３つのリング部が形成可能とされ、前記リング部同士を重ねることで前記遮蔽部を畳み込み可能としたことを特徴とする、請求項５に記載のセキュリティシェード。
【請求項７】
前記遮蔽部には、２つの前記遮蔽部を連結する連結構造が設けられていることを特徴とする、請求項１〜６のいずれかに記載のセキュリティシェード。
【請求項８】
前記遮蔽部は、前部全体が前記可視部で構成されており、残りの部分が前記可視部よりも透過度の低い低透過部で構成されていることを特徴とする、請求項１〜７のいずれかに記載のセキュリティシェード。
【請求項９】
前記遮蔽部は、前部の一部が前記可視部で構成されており、残りの部分が前記可視部よりも透過度の低い低透過部で構成されていることを特徴とする、請求項１〜７のいずれかに記載のセキュリティシェード。
【請求項１０】
前記遮蔽部は、ボックス形状であることを特徴とする、請求項１〜９のいずれかに記載のセキュリティシェード。
【請求項１１】
前記遮蔽部は、後部が開放されていることを特徴とする、請求項１〜１０のいずれかに記載のセキュリティシェード。
【請求項１２】
前記遮蔽部は、後部が前記可視部よりも透過度の低い低透過部で構成されていることを特徴とする、請求項１〜１０のいずれかに記載のセキュリティシェード。
【発明の詳細な説明】
【技術分野】
【０００１】
本発明は、セキュリティシェードに関する。
【背景技術】
【０００２】
従来、内側空間内の人を保護するために使用されるシェードとして、実用新案登録第３０１７２４９号公報（特許文献１）に示されるものがある。同文献には、バネ鋼製の輪状リングと、輪状リングで支持されたカーテン地とからなる携帯用カーテンが開示されている。
【０００３】
これによれば、携帯用カーテンを車内で使用した場合には、着替えや緊急トイレ等において外部から見えないようにすることができ、野外（キャンプ場や海水浴場）で使用した場合には、脱衣や用便時に使用するのに適しているという効果を有する。
【先行技術文献】
【特許文献】
【０００４】
【特許文献１】実用新案登録第３０１７２４９号公報
【発明の概要】
【発明が解決しようとする課題】
【０００５】
しかしながら、特許文献１に開示されるような従来のシェードでは、外部から内側に収容された人を見えなくするという効果としては十分に機能するものの、内側空間にいる人が外部の様子を伺ったり、人を収容した状態で移動したりするといったことを目的として使用するには不十分である。例えば要人や犯罪者等の保護や警護のために保護対象者を収容した状態で移動する場合には、内側空間にいる保護対象者の視野が確保できず歩行が困難であるという課題があった。
【０００６】
そこで本発明は、このような問題に鑑みてなされたもので、その目的とするところは、内部空間に収容された人の視野が確保でき、歩行が容易であるセキュリティシェードを提供することにある。
【課題を解決するための手段】
【０００７】
上記課題を解決するために、本発明によれば、遮蔽部内の収容空間に人を収容し人の周囲及び上部の少なくとも一部を隠した状態で移動するためのセキュリティシェードであって、前記収容空間は、外部からの視界を妨げる前記遮蔽部によって形成される内側空間であり、前記遮蔽部は、少なくとも一部に、前記遮蔽部内から外部を視認可能な可視部を有し、前記遮蔽部を支持可能な持ち手部を有し、前記持ち手部にて前記遮蔽部を支持しながら人を収容した状態で移動可能であることを特徴とする、セキュリティシェードが提供される。
【０００８】
かかる構成によれば、遮蔽部によって収容空間に収容された人を外部から保護し、可視部によって収容空間から遮蔽部の外部の視認性を確保し、さらに持ち手部を持って持ち上げた状態で保持可能とされる。よって、収容空間に収容された人は、遮蔽部の外部から保護されつつ視野が確保でき、歩行が容易となる。
【０００９】
本発明は様々な応用が可能である。以下の応用例は適宜組み合わせることが可能である。
例えば、前記遮蔽部は、少なくとも前部、上部及び側部の周囲を覆うものであり、前記可視部は、前記遮蔽部の少なくとも前部に形成されており、前記収容空間から前記遮蔽部の外部を視認可能であり、前記遮蔽部の外部から前記収容空間を視認不可であるようにしてもよい。可視部は収容空間からのみ視認可能とされ、収容空間にいる人の視野を確保しながらプライバシーを保護することができる。
【００１０】
また、前記可視部は、内側面を外側面よりも濃色としてもよい。可視部の外側面を光を反射する淡色とすることで、外光（太陽光や照明光だけでなくフラッシュも含む）を反射することによって外部からの視線を妨げ、内側面を光を吸収する濃色とすることで、光の反射が和らぎ、収容空間に収容された人の視認性を確保できる。
【００１１】
また、可視部は、外側に淡色メッシュ生地を配置し、内側に濃色メッシュ生地を重なるように配置してもよい。外側を淡色メッシュ生地、内側を濃色メッシュ生地の２重構造とすることで、一般的なメッシュ生地の組み合わせで遮蔽部内の人の視野を確保しながらプライバシーを保護することができる。さらに、マジックミラーのように外側から内側を視認し難く、反対に内側から外側は視認しやすい素材を配置しても、遮蔽部内からの視野の確保やプライバシーの確保といった同様の効果が期待できる。
【００１２】
また、前記遮蔽部は、上部及び側部の周囲を構成する第１線材と、前部及び後部の少なくとも一方の下部を構成する第２線材と、を備え、前記第１線材の一部に前記第２線材を接続あるいは近接させることで形成されるようにしてもよい。このように、第１線材と第２線材だけで遮蔽部を形成するため、軽量化が図れ、移動や持ち運びが容易となる。
【００１３】
また、前記第１線材はループ状とし、前記第１線材のループの一端をループの中心に向かって折り曲げることで３つのリング部が形成可能とされ、前記リング部同士を重ねることで前記遮蔽部を畳み込み可能としてもよい。ループ状の第１線材を折り曲げて変形させることで、全体をコンパクトに収容できる。
【００１４】
また、前記遮蔽部には、２つの前記遮蔽部を連結する連結構造が設けられているようにしてもよい。このため、収容空間に収容する人の数に応じて連結する遮蔽部の数を変えて、収容空間の大きさを変えることができる。
【００１５】
また、前記遮蔽部は、前部全体が前記可視部で構成されており、残りの部分が前記可視部よりも透過度の低い低透過部で構成されているようにしてもよい。遮蔽部の前部全体が可視部で構成されているため、収容空間から遮蔽部の外部を視認し易い。
【００１６】
また、前記遮蔽部は、前部の一部が前記可視部で構成されており、残りの部分が前記可視部よりも透過度の低い低透過部で構成されているようにしてもよい。かかる構成によれば、遮蔽部の前部から収容空間内の人を視認しづらくなるため、収容空間に収容された人の視野を確保しながらプライバシーをより保護することができる。
【００１７】
また、前記遮蔽部は、ボックス形状であってもよい。遮蔽部のどの位置に収容されても、遮蔽部の高さが同じであるため、収容される人の身長に関係なく任意の位置に収容できる。また、遮蔽部をボックス状に構成したことにより、各部の形状が簡単であるため、製造が容易である。
【００１８】
また、前記遮蔽部は、後部が開放されているようにしてもよい。遮蔽部の後部が開放されているため、収容空間へ人が入る際に、遮蔽部を持ち上げたり、くぐったりする必要がない。よって、収容空間に人が容易に入ることができる。また、収容空間に収容された人の後ろ姿が視認できるようになっていため、プライバシーを保護しつつ遮蔽部内の状態を確認することができる。
【００１９】
また、前記遮蔽部は、後部が前記可視部よりも透過度の低い低透過部で構成されているようにしてもよい。遮蔽部の後部に低透過部を設けたことにより、背後からの覗き込みを防止し、プライバシーをより保護することができる。
【発明の効果】
【００２０】
本発明によれば、遮蔽部に収容された人の視野が確保でき、歩行が容易であるセキュリティシェードを提供することが可能である。本発明のその他の効果については、後述する発明を実施するための形態においても説明する。
【図面の簡単な説明】
【００２１】
【図１】第１の実施形態に係るセキュリティシェード１００の全体構成を示す図であり、（ａ）は、セキュリティシェード１００を正面側から見た斜視図であり、（ｂ）は、セキュリティシェード１００を背面側から見た斜視図である。
【図２】セキュリティシェード１００の骨組みを示す図である。
【図３】可視部１２０を巻き上げた状態を示す斜視図である。
【図４】セキュリティシェード１００の使用状態を説明するための図である。
【図５】セキュリティシェード１００の使用状態を説明するための図であり、（ａ）は、側面図であり、（ｂ）は、図４のＡ−Ａ断面図である。
【図６】セキュリティシェード１００の使用状態を説明するための図であり、（ａ）は、背面図であり、（ｂ）は、可視部をたくし上げた状態を示す正面図である。
【図７】セキュリティシェード１００を畳み込む過程を説明するための図であり、（ａ）は、第１線材を２つに折り畳んだ状態を示す図であり、（ｂ）は、第１線材をさらに変形させて３つのリングを形成していく状態を示す図であり、（ｃ）は、第１線材をさらに変形させて３つのリングを形成し、重ね合わせる直前の状態を示す図であり、（ｄ）は、リング同士を重ねた状態を示す図である。
【図８】第２の実施形態に係るセキュリティシェード２００を示す図であり、（ａ）は、正面側から見た斜視図であり、（ｂ）は、断面図である。
【図９】可視部２２０をたくし上げて固定した状態を示す断面図である。
【図１０】２つのセキュリティシェード２００を連結した状態を示す図であり、（ａ）は、側面図であり、（ｂ）は、断面図である。
【図１１】第３の実施形態に係るセキュリティシェード３００を示す図である。
【図１２】第４の実施形態に係るセキュリティシェード４００を示す図であり、（ａ）は、前部が開放された状態を示す図であり、（ｂ）は、前部が閉じられた状態を示す図である。
【図１３】２つのセキュリティシェード４００を連結する工程を示す図であり、（ａ）は、連結前の状態を示す図であり、（ｂ）は、連結した状態を示す図である。
【図１４】第５の実施形態に係るセキュリティシェード５００の全体構成を示す図であり、（ａ）は、セキュリティシェード５００を正面側から見た斜視図であり、（ｂ）は、セキュリティシェード５００を背面側から見た斜視図である。
【発明を実施するための形態】
【００２２】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２３】
（第１の実施形態）
まず、第１の実施形態に係るセキュリティシェード１００の全体構成について、図１〜図３を参照しながら説明する。図１は、本実施形態に係るセキュリティシェード１００の全体構成を示す図であり、（ａ）は、セキュリティシェード１００を正面側から見た斜視図であり、（ｂ）は、セキュリティシェード１００を背面側から見た斜視図である。図２は、セキュリティシェード１００の骨組みを示す図である。図３は、可視部１２０を巻き上げた状態を示す斜視図である。
【００２４】
本実施形態のセキュリティシェード１００は、遮蔽部１４０内の収容空間１４２に人を収容し人の周囲及び上部の少なくとも一部を隠した状態で移動するためのものである。セキュリティシェード１００は、図１に示したように、遮蔽部１４０は、低透過部１１０と低透過部１１０よりも透過度の高い可視部１２０とにより構成され、遮蔽部１４０を支持可能な持ち手部１３０を有し、持ち手部１３０にて遮蔽部１４０を支持しながら人を収容した状態で移動可能であることを特徴とする。以下、各構成要素について詳細に説明する。
【００２５】
（低透過部１１０）
低透過部１１０は、後述する収容空間１４２に収容された人を外部から保護するものである。低透過部１１０は、図１に示したように、収容された人の左右の側部及び上部にわたって設けられ、外部から内部が視認できない素材のシート状の生地で構成されている。低透過部１１０は、図１（ｂ）に示したように、後部（背面）側が開放されている。低透過部１１０は、図２に示したように、生地の周囲に後述する第１線材１５０が上下方向に２つの山形を構成したループ状に取付けられる。第１線材１５０の取付けにあたっては、生地の周囲に袋状部を形成し、袋状部に第１線材１５０を挿入することによって構成され、第1線材１５０は１本ないし連結された複数の線材の端部同士を連結することによってループ状とされる。
【００２６】
（可視部１２０）
可視部１２０は、低透過部１１０よりも透過度の高い部分であり、収容空間１４２に収容された人の内側からの視認性を確保するものである。可視部１２０は、図１（ａ）に示したように、低透過部１１０の一部に接合され、遮蔽部１４０の前部（前面）を構成するフロントシートである。可視部１２０は、低透過部１１０よりも透過度の高い素材で構成される。より詳細には、可視部１２０は、外側に淡色メッシュ生地を配置し、内側に濃色メッシュ生地を重なるように配置して、収容空間１４２から遮蔽部１４０の外部を視認可能であり、外部から収容空間１４２を視認不可とされている。
【００２７】
可視部１２０には、図２に示したように、下縁の周囲に第２線材１６０を取付けることで前方に突出した円弧状に形成されている。第２線材１６０の取付けにあたっては、可視部１２０の下端部１７０に袋状部を形成し、袋状部に第２線材１６０を挿入することによって構成され、第２線材１６０の両端部は第１線材１５０の一部に近接させて配置されている。可視部１２０は、図３に示したように、第２線材１６０を収容した下縁部１７０ごと巻き上げられる（あるいはたくし上げられる）ことで開放される。
【００２８】
（持ち手部１３０）
持ち手部１３０は、遮蔽部１４０を支持しながら人を収容した状態で移動可能とするものである。持ち手部１３０は、図１に示したように、低透過部１１０の左右の前部側下部及び後部側下部に設けられる。持ち手部１３０は、斜め下方に向かって設けられている。持ち手部１３０をこのように取り付けることにより、遮蔽部１４０の重量を支持するとともに、遮蔽部１４０を持ちあげたときに、遮蔽部１４０が内側に縮むことなく形状が維持されるようになっている。４つの持ち手部１３０をそれぞれ一人ずつで持ってもよいし、２人が低透過部１１０の左右に分かれて前後の持ち手部１３０を１人で持ってもよい。
【００２９】
（遮蔽部１４０）
遮蔽部１４０は、図１及び図２に示したように、低透過部１１０と可視部１２０とによって形成され、内側に人（顔、上半身あるいは全身まで）を収容可能な収容空間１４２を構成する。遮蔽部１４０は、図２に示したように、可視部１２０に設けた第２線材１６０の両端部を低透過部１１０に設けた第１線材１５０に近接させることで形成される。
【００３０】
第１線材１５０と第２線材１６０の内側には、図示していないインナーロープがそれぞれ張られている。インナーロープは、第１線材１５０を上下方向に２つの山形を構成したループ状に形成する。また、インナーロープは、第２線材１６０を円弧状に形成する。インナーロープは、長さを調整することにより、第１線材１５０と第２線材１６０の曲率はそれぞれ変更可能である。長さ調整されたインナーロープは、図示していないストッパによってその長さで固定される。
【００３１】
遮蔽部１４０を構成する第１線材１５０と第２線材１６０は変形可能であり、遮蔽部１４０を折り畳むことができる。遮蔽部１４０には、折り畳みの手順を図や数字などで示したタグを取り付けてもよい。これによると、タグを見ただけで折り畳みの手順が分かりやすく記されているため、タグを見ただけで説明を見ずに折り畳みの手順がわかる。
【００３２】
以上、本実施形態のセキュリティシェード１００の全体構成について説明した。次に、本実施形態のセキュリティシェード１００の使用方法について、図４〜図６を参照しながら説明する。図４は、セキュリティシェード１００の使用状態を説明するための図である。図５は、セキュリティシェード１００の使用状態を説明するための図であり、（ａ）は、側面図であり、（ｂ）は、図４のＡ−Ａ断面図である。図６は、セキュリティシェード１００の使用状態を説明するための図であり、（ａ）は、背面図であり、（ｂ）は、可視部をたくし上げた状態を示す正面図である。
【００３３】
収容空間１４２には、図４に示したように、３人が横に並んで収容可能である。遮蔽部１４０は、収容された人の上半身を収容する。収容された人は、図５に示したように、低透過部１１０の部分に位置する。収容された人の前面には、可視部１２０が配置されており、顔などが外部から視認しづらくなっている。
【００３４】
遮蔽部１４０の外側には、低透過部１１０を挟んでそれぞれ一人ずつ配置されて、各人が前後の持ち手部１３０を両手で持って遮蔽部１４０を支持する。遮蔽部１４０の外にいる人が、持ち手部１３０を持って遮蔽部１４０を支持しながら移動することで、遮蔽部１４０とともに収容空間１４２に収容された人を外部から視認されることなく移動させることができる。
【００３５】
遮蔽部１４０の後部側は、図６（ａ）に示したように、開放されているため、収容空間１４２へ人が入る際に、遮蔽部１４０を持ち上げたり、くぐったりする必要がない。よって、収容空間１４２に人が容易に入ることができる。また、収容空間１４２に収容された人の後ろ姿が視認できるようになっているため、プライバシーを保護しつつ遮蔽部１４０内の状態を確認することができる。
【００３６】
また、遮蔽部１４０は、図６（ｂ）に示したように、可視部１２０をたくし上げると、前部を開放することができる。このように遮蔽部１４０の前部を開放することで、遮蔽部１４０に収容された人が向きを変えずに前進するだけで遮蔽部１４０の外に移動することができる。
【００３７】
以上、セキュリティシェード１００の使用状態を説明した。以下、セキュリティシェード１００を折り畳む過程について、図７を参照しながら説明する。図７は、セキュリティシェード１００を畳み込む過程を説明するための図であり、（ａ）は、８の字に変形する途中の状態を示す図であり、（ｂ）は、８の字に変形して３つのリング部が形成される直前の状態を示す図であり、（ｃ）は、８の字に変形して３つのリング部が形成された状態を示す図であり、（ｄ）は、リング部同士を重ねた状態を示す図である。
【００３８】
セキュリティシェード１００は、まず、図７（ａ）に示したように、第１線材１５０を２つに折り畳む。このとき、第２線材１６０は図のように第１線材１５０に沿わせており、以降第１線材１５０と一体になって折り畳むようにする。次に、図７（ｂ）に示したように、折り畳んだ第１線材１５０の一端１５０ａを円弧の中心に向かってさらに折り曲げる。すると、図７（ｃ）に示したように、３つのリング部１５０ｂ、１５０ｃ、１５０ｄが形成される。最後に、図７（ｄ）に示したように、３つのリング部１５０ｂ、１５０ｃ、１５０ｄを重ね合わせて折り畳まれる。
【００３９】
（第１の実施形態の効果）
以上説明したように、本実施形態によれば、低透過部１１０によって遮蔽部１４０にいる人を外部から保護し、可視部１２０によって内側からの視認性を確保し、さらに持ち手部１３０を持って持ち上げた状態で保持可能とすることで、遮蔽部１４０に収容された人の視野が確保でき、歩行が容易である。
【００４０】
また、可視部１２０は内側からのみ視認可能とすることで、遮蔽部１４０に収容された人の視野を確保しながらプライバシーを保護することができる。
【００４１】
また、可視部１２０の外側面を淡色とすることで、日中は外光（太陽光や照明光だけでなくフラッシュも含む）を反射することによって外部からの視線を妨げ、内側面を濃色とすることで、光の反射が和らぎ、遮蔽部１４０に収容された人の視認性を確保できる。
【００４２】
また、可視部１２０を、外側を淡色メッシュ生地、内側を濃色メッシュ生地の２重構造とすることで、一般的なメッシュ生地の組み合わせで遮蔽部１４０に収容された人の視野を確保しながらプライバシーを保護することができる。
【００４３】
また、低透過部１１０及び可視部１２０を構成する生地の周囲に第１及び第２線材１５０、１６０を取付けただけの構成で遮蔽部１４０が形成される構造とすることで、軽量化が図れ、移動や持ち運びが容易となる。
【００４４】
また、ループ状の第１線材１５０を８の字に変形させることで形成されるリング部１５０ｂ、１５０ｃ、１５０ｄ同士を重ねることで遮蔽部１４０を畳み込み可能としたため、全体をコンパクトに収容できる。
【００４５】
（第２の実施形態）
第２の実施形態に係るセキュリティシェード２００の構成について、図８及び図９を参照しながら説明する。図８は、第２の実施形態のセキュリティシェード２００を示す図であり、（ａ）は、正面側から見た斜視図であり、（ｂ）は、断面図である。図９は、可視部１２０をたくし上げて固定した状態を示す図である。本実施形態のセキュリティシェード２００は、遮蔽部１４０には、２つの遮蔽部１４０を連結する面ファスナー（連結構造）２７０、２７２、２７４が設けられている点が、第１の実施形態のセキュリティシェード１００と相違する点である。本実施形態では、上記第１の実施形態と異なる点を中心に説明する。実質的に同一の機能構成を有する構成要素については、同一の符号を付することにより重複説明を省略する。
【００４６】
本実施形態の低透過部２１０、可視部２２０、持ち手部２３０、遮蔽部２４０、収容空間２４２は、第１の実施形態の低透過部１１０、可視部１２０、持ち手部１３０、遮蔽部１４０、収容空間１４２に対応するため、説明を省略する。
【００４７】
本実施形態のセキュリティシェード２００は、図８に示したように、低透過部１１０の前縁に３つのオスの面ファスナー２７０が等間隔で設けられている。３つの前縁の面ファスナー２７０は、低透過部２１０の頂点に１つ、左右の持ち手部１３０の若干上方に１つずつ配置されている。また、低透過部２１０の後縁には、３つのメスの面ファスナー２７２が等間隔で設けられている。３つの後縁の面ファスナー２７２は、３つの前縁の面ファスナー２７０にそれぞれ対応する位置に設けられており、脱着可能である。
【００４８】
さらに、可視部２２０の下縁には、３つのメスの面ファスナー２７４が等間隔で設けられている。３つの下縁の面ファスナー２７４は、低透過部２１０の前縁の３つの面ファスナー２７０にそれぞれ対応する位置に設けられており、脱着可能である。可視部２２０は、図９に示したように、たくし上げられるとき、第２線材１６０の両端部を支点として中央部が上昇するよう回転してたくし上げられる。
【００４９】
よって、可視部２２０がたくし上げられた際には、第２線材１６０の中央部が低透過部２１０の頂点に位置し、第２線材１６０は、第１線材１５０に沿って配置される。このように配置されるため、可視部２２０が複数重に折り畳まれた状態になる。その後、可視部２２０の３つの下縁の面ファスナー２７４が、低透過部２１０の３つの前縁の面ファスナー２７０にそれぞれ接着されて、第２線材１６０の下降が阻止される。よって、可視部２２０がたくし上げられた状態で保持される。４つの持ち手部２３０は、第１の実施形態のセキュリティシェード１００と同様の位置に設けられている。
【００５０】
以上、セキュリティシェード２００の構成について説明した。以下、２つのセキュリティシェード２００を連結する方法について、図１０を参照しながら説明する。図１０は、２つのセキュリティシェード２００を連結した状態を示す図であり、（ａ）は、側面図であり、（ｂ）は、断面図である。
【００５１】
２つのセキュリティシェード２００−１、２００−２は、図１０（ａ）に示したように、前後に並べて配置される。前に配置される前側セキュリティシェード２００−１は、可視部２２０−１が下ろされた状態とされる。後に配置される後側セキュリティシェード２００−２は、図９に示したように、可視部２２０−２がたくし上げられた状態とされる。前側セキュリティシェード２００−１の後縁の面ファスナー２７２−１に、後側セキュリティシェード２００−２の前縁の面ファスナー２７０−２がそれぞれ接着されて、２つのセキュリティシェード２００−１、２００−２が前後に並べて連結される。よって、図１０（ｂ）に示したように、収容空間２４２が２倍の大きさになる。
【００５２】
（第２の実施形態の効果）
以上説明したように、本実施形態によれば、遮蔽部２４０には、２つの遮蔽部２４０を連結する面ファスナー２７０、２７２、２７４を設けたため、収容空間２４２に収容する人の数に応じて連結する遮蔽部２４０の数を変えて、収容空間２４２の大きさを変えることができる。
【００５３】
（第３の実施形態）
第３の実施形態に係るセキュリティシェード３００の構成について、図１１を参照しながら説明する。図１１は、第３の実施形態のセキュリティシェード３００を示す図である。本実施形態のセキュリティシェード３００は、低透過部３８０（以下、前面低透過部３８０という）が遮蔽部３４０の前部にも配置され、前面低透過部３８０に可視部３２０が設けられている点が、第２の実施形態のセキュリティシェード２００と相違する点である。本実施形態では、上記第２の実施形態と異なる点を中心に説明する。実質的に同一の機能構成を有する構成要素については、同一の符号を付することにより重複説明を省略する。
【００５４】
本実施形態の低透過部３１０、可視部３２０、持ち手部３３０、遮蔽部３４０、収容空間３４２、面ファスナー３７０、３７２、３７４は、第２の実施形態の低透過部２１０、可視部２２０、持ち手部２３０、遮蔽部２４０、収容空間２４２、面ファスナー２７０、２７２、２７４に対応するため、説明を省略する。
【００５５】
セキュリティシェード３００は、図１１に示したように、遮蔽部３４０の前部が前面低透過部３８０と可視部３２０で構成されている。前面低透過部３８０は、第２の実施形態の可視部２２０と同様に構成されており、中央部に可視部３２０が設けられている。可視部３２０は、横長の方形状の形状であり、遮蔽部３４０の内側に収容された人が外部を視認できるようになっている。
【００５６】
（第３の実施形態の効果）
以上説明したように、本実施形態によれば、遮蔽部３４０の前部を前面低透過部３８０と可視部３２０で構成することにより、遮蔽部３４０の前部から収容されている人が視認しづらくなり、外部から保護する。よって、遮蔽部３４０に収容された人の視野を確保しながらプライバシーをより保護することができる。
【００５７】
（第４の実施形態）
第４の実施形態に係るセキュリティシェード４００の構成について、図１２を参照しながら説明する。図１２は、第４の実施形態のセキュリティシェード４００を示す図であり、（ａ）は、前部が開放された状態を示す図であり、（ｂ）は、前部が閉じられた状態を示す図である。本実施形態のセキュリティシェード４００は、遮蔽部４４０がボックス状に構成されている点が、第３の実施形態のセキュリティシェード３００と相違する点である。本実施形態では、上記第３の実施形態と異なる点を中心に説明する。実質的に同一の機能構成を有する構成要素については、同一の符号を付することにより重複説明を省略する。
【００５８】
遮蔽部４４０は、図１２に示したように、背面と底面が開放されたボックス状に構成されている。よって、収容空間４４２はボックス状の形状となっている。低透過部４１０は、上面４１０ａと、左右の側面４１０ｂ、４１０ｃと、前面４１０ｄより構成されている。上面４１０ａと左右の側面４１０ｂ、４１０ｃとは一連に構成されていてもよいし、それぞれ別々のパーツが連結されて構成されていてもよい。左右の側面４１０ｂ、４１０ｃの前後の縁部には持ち手部４３０がそれぞれ設けられている。なお、持ち手部４３０は、垂直な辺である前後の縁部と、水平な辺である下縁部の両方を跨ぐように設けてもよい。
【００５９】
左右の側面４１０ｂ、４１０ｃの前後の縁部には持ち手部４３０を挟んだ上下２か所に面ファスナー４７０、４７２が設けられている。前縁の面ファスナー４７０の先端は、前縁から前方に突出するように設けられている。後縁の面ファスナー４７２の先端は、側面４１０ｂ、４１０ｃの後縁から突出していない。前縁の面ファスナー４７０と後縁の面ファスナー４７２はオスメスが逆であり、脱着可能となっている。
【００６０】
遮蔽部４４０の前面４１０ｄは、図１２（ａ）に示したように、方形状であり、左側縁が左の側面４１０ｃの前縁に連結されている。よって、前面４１０ｄは、左の側縁を支点に開閉可能である。前面４１０ｄの両側縁に面ファスナー４７４が設けられている。両側縁の面ファスナー４７４は、前縁の面ファスナー４７０に対応する位置に配置されている。両側縁の面ファスナー４７４の先端は、前面４１０ｄから突出していない。両側縁の面ファスナー４７４と前縁の面ファスナー４７０とはオスメスが逆であり、着脱可能となっている。
【００６１】
図１２（ｂ）に示したように、前面４１０ｄの左右両方の面ファスナー４７４を前縁の面ファスナー４７０に接着し、遮蔽部４４０の前側を塞ぐことによって、内側に収容した人を外部から見えなくなる。図１２（ａ）に示したように、前面４１０ｄの右の面ファスナー４７４を前縁の面ファスナー４７０から剥がすことによって、前面４１０ｄが扉のように開くことによって遮蔽部４４０の前面が開放される。
【００６２】
以上、本実施形態のセキュリティシェード４００の構成について説明した、以下、２つのセキュリティシェード４００を連結する方法について、図１３を参照しながら説明する。図１３は、２つのセキュリティシェード４００を連結する工程を示す図であり、（ａ）は、連結前の状態を示す図であり、（ｂ）は、連結した状態を示す図である。
【００６３】
２つのセキュリティシェード４００−１、４００−２は、図１３（ａ）に示したように、前後に並べて配置される。以下、前に配置されるセキュリティシェードを前側セキュリティシェード４００−１、後側に配置されるセキュリティシェードを後側セキュリティシェード４００−２、前側セキュリティシェード４００−１に設けられる面ファスナーを面ファスナー４７０−１、４７２−１、後側セキュリティシェード４００−２に設けられる面ファスナーを面ファスナー４７０−２、４７２−２とする。
【００６４】
前に配置される前側セキュリティシェード４００−１は、前面４１０ｄ−１が閉じられた状態とされる。後に配置される後側セキュリティシェード４００−２は、図１３（ａ）に示したように、前面４１０ｄ−２の面ファスナー４７４−２から側面４１０ｂ−２、４１０ｃ−２の面ファスナー４７０−２が剥がされて、前面４１０ｄ−２が遮蔽部４４０−２の内側に折り畳まれて、低透過部４１０−２の側面４１０ｃ−２と重なり合った状態とされる。図１３（ｂ）に示したように、前側セキュリティシェード４００−１の後縁の面ファスナー４７２−１に、後側セキュリティシェード４００−２の前縁の面ファスナー４７０−２がそれぞれ接着されて、２つのセキュリティシェード４００−１、４００−２が前後に並べて連結される。
【００６５】
（第４の実施形態の効果）
以上説明したように、本実施形態によれば、遮蔽部４４０をボックス状に構成したことにより、収容空間４４２のどの位置に人が収容されても、収容空間４４２の高さが同じであるため、収容される人の身長に関係なく任意の位置に収容できる。また、遮蔽部４４０をボックス状に構成したことにより、各部の形状が簡単であるため、製造が容易である。さらに、使用状態における形状維持が容易となり、取り扱い易くなる。
【００６６】
（第５の実施形態）
第５の実施形態に係るセキュリティシェード５００の構成について、図１４を参照しながら説明する。図１４は、第５の実施形態に係るセキュリティシェード５００の全体構成を示す図であり、（ａ）は、セキュリティシェード５００を正面側から見た斜視図であり、（ｂ）は、セキュリティシェード５００を背面側から見た斜視図である。
【００６７】
本実施形態のセキュリティシェード５００は、低透過部５９０（以下、後面低透過部５９０という）が遮蔽部５４０の後部にも配置されている点が、第３の実施形態のセキュリティシェード３００と相違する点である。本実施形態では、上記第３の実施形態と異なる点を中心に説明する。実質的に同一の機能構成を有する構成要素については、同一の符号を付することにより重複説明を省略する。
【００６８】
本実施形態の低透過部５１０、可視部５２０、持ち手５３０、遮蔽部５４０、収容空間５４２、面ファスナー５７０、５７２、５７４、前面低透過部５８０は、第３の実施形態の低透過部３１０、可視部３２０、持ち手部３３０、遮蔽部３４０、収容空間３４２、面ファスナー３７０、３７２、３７４、前面低透過部３８０に対応するため、説明を省略する。
【００６９】
セキュリティシェード５００は、図１４に示したように、遮蔽部５４０の後部全面に後面低透過部５９０が設けられている。ただし、後面低透過部５９０には、可視部は設けられていない。後面低透過部５９０は、第３の実施形態の前面低透過部３８０とほぼ同様に構成されている。後面低透過部５９０の下縁には、面ファスナー５７２と対応する位置に、オスの面ファスナー５７６が設けられており、面ファスナー５７２と面ファスナー５７６とは着脱自在に接着する。
【００７０】
（第５の実施形態の効果）
以上説明したように、本実施形態によれば、遮蔽部５４０の後部全面に後面低透過部５９０を設けたことにより、背後からの覗き込みを防止し、プライバシーをより保護することができる。
【００７１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００７２】
例えば、上記実施形態では、遮蔽部の形状を山形状やボックス状としたが、本発明はこの例に限定されず、遮蔽部内の収容空間に人を収容し人の周囲及び上部の少なくとも一部を隠した状態で移動できる形状であれば任意の形状とすることができる。
【００７３】
また、上記実施形態では、可視部は、外側に淡色メッシュ生地を配置し、内側に濃色メッシュ生地を重なるように配置して構成されるものとしたが、本発明はこの例に限定されず、可視部は、少なくとも、低透過部よりも透過度の高い構成であればよい。例えば、可視部は、生地の外側と内側とを色分けせず、単色でもよい。また、可視部は、メッシュ生地以外の淡色と濃色の２枚の生地で構成されていてもよい。さらに、可視部は、１枚の生地（例えば、メッシュ生地やメッシュ以外の生地）の外側面に淡色、内側面に濃色を塗布したものでもよい。
【００７４】
また、上記実施形態では、低透過部として、外部から内部が視認できない素材のシート状の生地で構成されている例について説明したが、本発明はこれに限定されない。低透過部は、可視部よりも透過度の低い（見えにくい）ものであれば、任意の構成でよい。
【００７５】
また、上記実施形態では、低透過部と可視部には異なる素材のものを例示したが、本発明はこの例に限定されず、例えばマジックミラーのように、外側から内側を視認し難く、反対に内側から外側は視認しやすい素材を採用することにより、低透過部と可視部に同じ素材を利用することができる。また、外部からの視線保護の程度を低く限定させることにより、低透過部と可視部に同じ素材を利用することができる。このような場合、遮蔽部に低透過部がない構成としてもよい。
【００７６】
また、上記実施形態では、第２線材１６０を第１線材１５０に近接させたが、本発明はこの例に限定されず、遮蔽部１４０を形成できる構成であればよい。例えば、第２線材１６０を第１線材１５０に着脱可能に又は着脱不可能に接続してもよい。
【００７７】
また、上記実施形態では第１線材はループ状とし、第１線材のループを変形することで３つのリング部が形成可能とされ、リング部同士を重ねることで遮蔽部を畳み込み可能としたが、本発明はこの例に限定されず、折り畳みできない構成としてもよい。
【００７８】
また、上記実施形態では、２つの遮蔽部を連結する連結構造として面ファスナーを用いたが、本発明はこの例に限定されず、２つの遮蔽部を連結するものであればよい。例えば、ホックやボタン、さらには、紐を結んで連結してもよい。
【００７９】
また、上記実施形態では、持ち手部は遮蔽部の外側に位置する低透過部に設けるようにしたが、本発明はこの例に限定されず、遮蔽部の内側、つまり収容空間内に設ける構成としてもよい。この場合には、収容空間内に収容された人自身が持ち手部を持って移動することができるようになり、要人や犯罪者等の保護や警護だけでなく、災害時における避難に利用することもできる。また、持ち手部は、低透過部を変形させたものや線材の一部を持ち手部として利用することを含む。
【００８０】
上記実施形態、応用例、変形例は、任意に組み合わせて実施することができる。
【符号の説明】
【００８１】
１００、２００、３００、４００、５００  セキュリティシェード
１１０、２１０、３１０、４１０、５１０  低透過部
１２０、２２０、３２０、４２０、５２０  可視部
１３０、２３０、３３０、４３０、５３０  持ち手部
１４０、２４０、３４０、４４０、５４０  遮蔽部
１４２、２４２、３４２、４４２、５４２  収容空間
１５０  第１線材
１５０ａ  一端
１５０ｂ、１５０ｃ、１５０ｄ  リング部
１６０  第２線材
２００−１、４００−１  前側セキュリティシェード
２００−２、４００−２  後側セキュリティシェード
２７０、２７２、２７４、３７０、３７２、３７４、４７０、４７２、４７４、５７０、５７２、５７４、５７６  面ファスナー（連結構造）
３８０、５８０  前面低透過部
４１０ａ  上面
４１０ｂ  右の側面
４１０ｃ  左の側面
４１０ｄ  前面
５９０  後面低透過部
【図１】
2019154659.tif 000003
【図２】
2019154659.tif 000004
【図３】
2019154659.tif 000005
【図４】
2019154659.tif 000006
【図５】
2019154659.tif 000007
【図６】
2019154659.tif 000008
【図７】
2019154659.tif 000009
【図８】
2019154659.tif 000010
【図９】
2019154659.tif 000011
【図１０】
2019154659.tif 000012
【図１１】
2019154659.tif 000013
【図１２】
2019154659.tif 000014
【図１３】
2019154659.tif 000015
【図１４】
2019154659.tif 000016